(57)【特許請求の範囲】
【請求項１】
引出しガイドシステムの少なくとも１つのレールを駆動するための家具駆動装置であって、
第１カップ形状体、及び、当該家具駆動装置が取り付けられる家具枠体の壁部に対して当接するための第１接触部を有するハウジングと、
前記ハウジングの前記第１カップ形状体内に配置された電動モータであって、当該家具駆動装置の取り付け状態において、前記第１カップ形状体が前記家具枠体の壁部の凹部内に配置されて、前記電動モータが前記壁部の前記凹部内に少なくとも部分的に配置されるように、前記第１カップ形状部が構成された、電動モータと、
前記電動モータを制御するための制御装置と、
第２カップ形状体、及び、前記家具枠体の前記壁部に対して当接するための第２接触部であって、前記制御装置が前記第２カップ形状体内に配置され、前記第２カップ形状体が前記第１カップ形状部とは別々に配置されている、第２カップ形状体及び第２接触部と、を備え、
前記第１カップ形状体及び前記第２カップ形状体は、前記引出しガイドシステムのレールに沿って互いに離隔するように分離した要素であることを特徴とする家具駆動装置。
【請求項２】
前記第１接触部及び前記第２接触部の各々は、平板状の構造であることを特徴とする請求項１に記載の家具駆動装置。
【請求項３】
前記第１カップ形状体は、前記第１接触部の家具対面側から突出していることを特徴とする請求項２に記載の家具駆動装置。
【請求項４】
前記第１接触部は、当該家具駆動装置を前記引出しガイドシステムに固定するための固定手段を有していることを特徴とする請求項１に記載の家具駆動装置。
【請求項５】
前記電動モータは、当該家具駆動装置の取り付け状態における前記家具枠体の前記壁部の前記凹部に完全に収容されていることを特徴とする請求項１に記載の家具駆動装置。
【請求項６】
引出しを移動させるための引出しガイドシステムであって、
相対的に移動可能な少なくとも２つのガイドレールであって、前記引出しに固定される引出しレール、及び、枠体レールを含み、前記枠体レールは、第１カップ形状体、当該引出しガイドシステムが取り付けられる家具枠体の壁部に対して当接するための接触部、及び、前記第１カップ形状体と別々に配置された第２カップ形状体を有する、少なくとも２つのガイドレールと、
前記引出しレールを駆動するための、前記第１カップ形状体内に配置された電動モータであって、前記引出しガイドシステムの取り付け状態において、前記第１カップ形状体が前記家具枠体の壁部の凹部内に配置されて、前記電動モータが前記壁部の前記凹部内に少なくとも部分的に配置されるように、前記第１カップ形状部が構成された、電動モータと、
前記電動モータを制御するための、前記第２カップ形状体内に配置されている制御ユニットと、を備え、
当該引出しガイドシステムの前記接触部は、少なくとも一部で家具駆動装置のハウジングの接触部から形成され、前記家具駆動装置は、前記第１カップ形状体内に配置された前記電動モータを含むことを特徴とする引出しガイドシステム。
【請求項７】
前記接触部は、平板状の構造であることを特徴とする請求項６に記載の引出しガイドシステム。
【請求項８】
前記第１カップ形状体は、前記接触部の家具対面側から突出していることを特徴とする請求項７に記載の引出しガイドシステム。
【請求項９】
前記電動モータは、当該引出しガイドシステムの取り付け状態における前記家具枠体の前記壁部の前記凹部に完全に収容されていることを特徴とする請求項６に記載の引出しガイドシステム。
【請求項１０】
引出しを移動させるための引出しガイドシステムであって、
相対的に移動可能な少なくとも２つのガイドレールであって、前記引出しに固定される引出しレール、及び、枠体レールを含み、前記枠体レールは、第１カップ形状体、当該引出しガイドシステムが取り付けられる家具枠体の壁部に対して当接するための接触部、及び、前記第１カップ形状体と別々に配置された第２カップ形状体を有する、少なくとも２つのガイドレールと、
前記引出しレールを駆動するための、前記第１カップ形状体内に配置された電動モータであって、前記引出しガイドシステムの取り付け状態において、前記第１カップ形状体が前記家具枠体の壁部の凹部内に配置されて、前記電動モータが前記壁部の前記凹部内に少なくとも部分的に配置されるように、前記第１カップ形状部が構成された、電動モータと、
前記電動モータを制御するための、前記第２カップ形状体内に配置されている制御ユニットと、を備え、
前記第１カップ形状体及び前記第２カップ形状体は、前記少なくとも２つのガイドレールの前記枠体レールに沿って互いに離隔するように分離した要素であることを特徴とする引出しガイドシステム。
【請求項１１】
家具枠体と、
前記家具枠体に対して移動可能な引出しと、
引出しガイドシステムの引出しレールを駆動するための家具駆動装置と、を備える家具であって、
前記家具駆動装置は、
第１カップ形状体、及び、前記家具枠体の壁部に対して当接するための第１接触部を有するハウジングと、
前記ハウジングの前記第１カップ形状体内に配置された電動モータであって、当該家具駆動装置の取り付け状態において、前記第１カップ形状体が前記家具枠体の壁部の凹部内に配置されて、前記電動モータが前記壁部の前記凹部内に少なくとも部分的に配置されるように、前記第１カップ形状部が構成された、電動モータと、
前記電動モータを制御するための制御装置と、
第２カップ形状体、及び、前記家具枠体の前記壁部に対して当接するための第２接触部であって、前記制御装置が前記第２カップ形状体内に配置され、前記第２カップ形状体が前記第１カップ形状部とは別々に配置されている、第２カップ形状体及び第２接触部と、を備え、
前記第１カップ形状体及び前記第２カップ形状体は、前記家具枠体及び前記引出しに取り付けられた前記引出しガイドシステムのレールに沿って互いに離隔するように分離した要素であることを特徴とする家具。
【請求項１２】
前記電動モータは、前記家具枠体の前記壁部の前記凹部に完全に収容されていることを特徴とする請求項１１に記載の家具。
【請求項１３】
前記家具枠体の前記壁部に取り付けられた引出しガイドシステムをさらに備え、
前記引出しガイドシステムは、
前記引出しに固定された引出しレールと、
前記家具枠体に固定された枠体レールであって、前記家具枠体の前記壁部に対して当接するための枠体接触部を有する、枠体レールと、を含むことを特徴とする請求項１１に記載の家具。
【請求項１４】
前記第１接触部及び前記第２接触部の各々は、平板状の構造であることを特徴とする請求項１１に記載の家具。
【請求項１５】
前記第１カップ形状体は、前記第１接触部の家具対面側から突出していることを特徴とする請求項１４に記載の家具。
【請求項１６】
前記第１接触部は、前記家具駆動装置を引出しガイドシステムに固定するための固定手段を有していることを特徴とする請求項１１に記載の家具。
【発明の詳細な説明】
【技術分野】
【０００１】
本発明は、ハウジング内に電動モータを内蔵した引出し（伸長）ガイドシステム用の家具駆動装置に関する。
【背景技術】
【０００２】
この種の家具駆動装置は引出しガイドシステムの少なくとも１本のガイドレールの駆動に利用される。これには引出しに連結された引出しレール、あるいは、その引出しレールと、家具本体あるいは家具枠体の壁部に取り付けられている家具枠体レールとの間に設置されている中央レールが関与する。
【０００３】
さらに本発明は、相対的に移動可能な少なくとも２本のガイドレールと、少なくとも１本のガイドレールを駆動する電動モータとを含んだ引出し用の引出しガイドシステムにも関する。１本のガイドレールは引出しに固定された引出しレールの形態であり、また１本のガイドレールは枠体レールの形態であって、家具枠体の壁部に当接する接触部を有する。この接触部は引出しレール側の側部と、引出しレールとは反対側の側部とを有している。
【０００４】
上記のごとき一般的な家具駆動装置は、支持部品によって直接的または間接的に家具枠体の壁部に固定されている。オーストリア特許願ＡＴ５００３６２Ａ１およびＷＯ２００５／１２２８３２Ａ１は引出し用の引出しガイドシステムを開示している。そこでは電動モータが引出しガイドシステムの一部に取り付けられている。
【０００５】
このような構成の弱点は、電動モータの設置には比較的に大きな設置スペースを要することである。
【０００６】
引出し用の引出しガイドシステムは家具枠体の両側壁部間に配置されるのが普通であるが、一般的には、電動モータを備えた家具駆動装置をそれらの一方の引出しガイド装置に装着すれば十分である。しかしこの場合には、電動モータを備えた家具駆動装置およびその対応引出しガイドシステムは、他方の壁部に設置される引出しガイドシステムよりも大きな設置スペースを必要とするという新たな弱点が発生する。
【０００７】
よって、１体の家具枠体内の１体の引出しのそれぞれの引出しガイドシステムには、家具枠体の両側壁部において異なる大きさの設置スペースが必要になる。
【先行技術文献】
【特許文献】
【０００８】
【特許文献１】ＡＴ５００３６２Ａ１
【特許文献２】ＷＯ２００５／１２２８３２Ａ１
【発明の概要】
【発明が解決しようとする課題】
【０００９】
従って、本発明の目的は、前述のごとき家具駆動装置または引出しガイドシステムを家具枠体内において小設置スペース内に収容可能とするような家具駆動装置および引出しガイドシステムを開発することである。
【課題を解決するための手段】
【００１０】
上記目的は、請求項１に記載の特徴を有した家具駆動装置並びに請求項６に記載の特徴を有した引出しガイドシステムよって達成される。
【００１１】
本発明の基本的な概念は、家具枠体内に設置されている家具駆動装置あるいは引出しガイドシステムの電動モータを、家具枠体の両側壁間のスペース内ではなく、家具枠体の（側）壁内の凹部内に収容することである。すなわち設置状態の本発明の家具駆動装置はほぼ隠れている。よって本発明の引出しガイドシステムの設置には、電動モータが提供されていない引出しガイドシステムと同じ小設置スペースを必要とするだけとなる。
【００１２】
引出しガイドシステムの駆動に利用されるだけでなく、本発明の家具駆動装置は跳扉用の駆動部、家具蝶番用の駆動部、家具の一部の駆動部、等々としても利用できる。
【００１３】
本発明の家具駆動装置と引出しガイドシステムのさらなる好適態様は「請求の範囲」において定義されている。
【００１４】
本発明は前述のごとき家具駆動装置および引出しガイドシステムを備えた家具枠体自体にも関する。すなわち、本発明の引出しガイドシステムが家具枠体の壁部に取り付けられており、電動モータを備えた本発明の家具駆動装置が家具枠体の壁部に設けられた凹部内に収容されている家具枠体にも関する。
【００１５】
特に好適には、電動モータは凹部内に完全収容される。
【００１６】
また上記の家具枠体と、家具駆動装置により駆動される少なくとも１体の引出しを含む家具もまた本発明の対象である。
【００１７】
本発明のさらなる利点および詳細は添付の図面と以下の発明の詳細な説明とから明確となるであろう。
【図面の簡単な説明】
【００１８】
【図１】家具枠体の壁部に取り付けられている状態の本発明の引出し用の引出しガイドシステムであって、本発明の家具駆動装置を含んでいる引出しガイドシステムの斜視図。
【図２】壁部に取り付けられる以前の図１で示す引出しガイドシステムの斜視図。
【図３】別方向から見た図２の斜視図。
【図４ａ】それぞれ図１から図３で示す引出しガイドシステムの平面図と、Ａ−Ａ線に沿った断面図。
【図４ｂ】それぞれ図１から図３で示す引出しガイドシステムの平面図と、Ａ−Ａ線に沿った断面図。
【図５ａ】それぞれ本発明の家具駆動装置の斜視図と一部切り欠き斜視図。
【図５ｂ】それぞれ本発明の家具駆動装置の斜視図と一部切り欠き斜視図。
【図６ａ】それぞれ本発明の引出しガイドシステムを備えた家具枠体の斜視図。
【図６ｂ】それぞれ本発明の引出しガイドシステムを備えた家具枠体の斜視図。
【図７】図６ａと図６ｂで示す取り付け形態の本発明の引出しガイドシステムの１実施例の図。
【発明を実施するための形態】
【００１９】
図１は家具本体または家具枠体（詳細には図示せず）の壁部６の一部と、壁部６に取り付けられた引出し（図示せず）用の引出しガイドシステム４とを示す。引出しガイドシステム４は、従来と同様に、引出しに取り付けられる引出しレールと、壁部６に取り付けられる枠体レールとを含む。この場合、枠体レールは接触部８を介して壁部６に当接する。図１で示すように、電動モータ５が引出しレール（図２参照）とは反対側で接触部８の側部に設置されている。図１で図示する家具枠体内の引出しガイドシステム４の取り付け状態において、電動モータ５は壁部６の凹部７内に完全に収容されている。
【００２０】
カップ体３’内には電動モータ５の制御又は規制装置９が設置されており、そこには配線（図示せず）により接続されている。
【００２１】
この実施例では電動モータ５は、ハウジングを有した家具駆動装置１の一部である。このハウジングはカップ形状体３とプレート形状接触部２とを含む。カップ形状体３は電動モータ５を受容する。接触部２は家具駆動装置１を壁部６に当接させる。
【００２２】
この実施例では家具駆動装置１は固定手段により引出しガイドシステム４に取り付けられている。
【００２３】
原理的には、家具駆動装置１を引出しガイドシステム４とは別々に家具枠体の壁部６に固定することが可能である。
【００２４】
この実施例では家具駆動装置１のハウジングは一体的形態である。しかし必須ではない。
【００２５】
図３は家具駆動装置１が取り付けられている引出しガイドシステム４の背面図である。
【００２６】
図４ａと図４ｂは、カップ形状体３と、カップ形状体３内に収納された電動モータ５を壁部６の凹部７内に収容した状態を示す。この設計により、家具駆動装置１自体は家具枠体内部で設置スペースをとらない。すなわち家具枠体の壁部間に設置スペースは不要である。引出しガイドシステム４は家具駆動装置１によって駆動可能であるが、このような家具駆動装置を有さない引出しガイドシステムよりも大きなスペースは必要としない。
【００２７】
図５ａと図５ｂは、それぞれ本発明の家具駆動装置１の斜視図と、その一部切り欠き図とを示す。
【００２８】
図６ａと図６ｂは、引出し１０（図６ａのみで図示）と、本発明の引出しガイドシステム４とを有した家具枠体を図示する。この実施例では、内部に制御装置または規制装置が配置されたハウジング部は接触部２’（図６および図７参照）をも有している。
【図１】
0005475680.tif 000002
【図２】
0005475680.tif 000003
【図３】
0005475680.tif 000004
【図４ａ】
0005475680.tif 000005
【図４ｂ】
0005475680.tif 000006
【図５ａ】
0005475680.tif 000007
【図５ｂ】
0005475680.tif 000008
【図６ａ】
0005475680.tif 000009
【図６ｂ】
0005475680.tif 000010
【図７】
0005475680.tif 000011